(57)【要約】【課題】再生すべきコンテンツを選択したユーザに対してのみ、そのコンテンツデータに関連付けてコンテンツ再生装置に表示させる画像データの登録を許容する。【解決手段】ユーザにより選択されたコンテンツを示す選択情報を携帯通信端末４０から受信した場合に、その選択情報に対して、該ユーザを一意に識別するユーザ識別子をコンテンツデータ再生装置３０に割り当てさせ、そのユーザ識別子を携帯通信端末４０へ宛てて送信させる。そして、携帯通信端末４０から送信されてくる画像データに上記ユーザ識別子が付加されている場合に、上記コンテンツデータの名称の近傍に該画像データに対応する画像をコンテンツデータ再生装置３０に表示させる。【選択図】  図１
2005070150.tif 000002
【特許請求の範囲】
【請求項１】
通信網を介して通信する携帯通信端末が出力する画像データを前記通信網と異なる通信媒体を介して受信するとともに、受信した前記画像データを表示するコンテンツデータ再生装置において、
再生対象となるコンテンツデータと当該コンテンツデータを識別する名称データとを組み合わせて記憶する記憶手段と、
前記記憶手段に記憶されているコンテンツデータのうちで、再生すべきコンテンツデータとしてユーザにより選択されたコンテンツデータを表す選択情報を前記通信媒体を介して前記携帯通信端末から受信する選択情報受信手段と、
前記選択情報受信手段により受信された選択情報が表すコンテンツデータの名称データの表す名称を表示する表示手段と、
前記選択情報受信手段が前記選択情報を受信すると当該選択情報に前記ユーザを特定するためのユーザ識別子を割り当てる割り当て手段と、
前記割り当て手段が割り当てた前記ユーザ識別子を前記通信媒体を介して前記携帯通信端末へ送信するユーザ識別子送信手段と、
前記携帯通信端末が出力する画像データを前記通信媒体を介して受信する画像データ受信手段と、
前記画像データ受信手段が受信した画像データに前記割り当て手段が割り当てたユーザ識別子が付加されているか否かを判定し、付加されている場合に検出信号を生成する判定手段と、
前記検出信号が生成された場合に、前記表示手段に対し、前記画像データ受信手段が受信した画像データを前記名称データの近傍に表示させる画像表示制御手段と
を具備することを特徴とするコンテンツデータ再生装置。
【請求項２】
通信網を介して通信する携帯通信端末が出力する画像データを前記通信網と異なる通信媒体を介して受信するとともに、受信した前記画像データを表示するコンテンツデータ再生装置において、
再生対象となるコンテンツデータと当該コンテンツデータを識別する名称データを組み合わせて記憶する記憶手段と、
前記記憶手段に記憶されているコンテンツデータのうちで、再生すべきコンテンツデータとしてユーザにより選択されたコンテンツデータを表す選択情報を前記通信媒体を介して前記携帯通信端末から受信する選択情報受信手段と、
前記選択情報受信手段により受信された選択情報が示す前記コンテンツデータを再生する再生手段と、
前記選択情報受信手段が前記選択情報を受信すると当該選択情報に前記ユーザを特定するためのユーザ識別子を割り当てる割り当て手段と、
前記割り当て手段が割り当てた前記ユーザ識別子を前記通信媒体を介して前記携帯通信端末へ送信するユーザ識別子送信手段と、
前記携帯通信端末が出力する画像データを前記通信媒体を介して受信する画像データ受信手段と、
前記画像データ受信手段が受信した画像データに前記割り当て手段が割り当てたユーザ識別子が付加されているか否かを判定し、付加されている場合に検出信号を生成する判定手段と、
前記検出信号が生成された場合に、前記再生手段によるコンテンツデータの再生に連動して、前記画像データ受信手段が受信した画像データを表示する連動画像表示手段と
を具備することを特徴とするコンテンツデータ再生装置。
【請求項３】
前記コンテンツデータは、ある楽曲に対応する曲データであることを特徴とする請求項１または２に記載のコンテンツデータ再生装置。
【請求項４】
前記名称データは前記楽曲の名称であることを特徴とする請求項３に記載のコンテンツデータ再生装置。
【請求項５】
通信網を介して通信する携帯通信端末において、
画像データを記憶する記憶手段と、
再生するべきコンテンツデータとしてユーザによって選択されたコンテンツデータを示す選択情報を前記通信網とは異なる通信媒体を介して、予めコンテンツデータを記憶しているコンテンツデータ再生装置へ送信する選択情報送信手段と、
前記コンテンツデータ再生装置から送信されてくるユーザ識別子であって、前記選択情報に対して前記コンテンツデータ再生装置によって割り当てられたユーザ識別子を前記通信媒体を介して受信するユーザ識別子受信手段と、
前記記憶手段に記憶されている画像データを前記選択情報で示されるコンテンツの名称の近傍に表示することを要求する旨の通信メッセージであって、該画像データと前記ユーザ識別子とを内包している通信メッセージを前記通信媒体を介して前記コンテンツデータ再生装置へ送信する画像データ送信手段と
を具備することを特徴とする携帯通信端末。
【発明の詳細な説明】
【０００１】
【発明の属する技術分野】
本発明は、ユーザにより選択されたコンテンツデータに関連付けて該ユーザの所望に応じた画像を表示させる技術に関する。
【０００２】
【従来の技術】
近年、インターネットなどの通信網を介して様々なコンテンツデータの提供が行われており、このようなコンテンツデータを上記通信網を介して取得し再生可能なコンテンツデータ再生装置も一般に普及している。このようなコンテンツデータの一例としては、カラオケ曲の曲データが挙げられる。また、上記コンテンツデータ再生装置の一例をしては、カラオケ曲に対応する曲データを通信網を介して取得し再生する通信カラオケ装置が挙げられる。
【０００３】
ところで、この種の通信カラオケ装置のなかには、カラオケ曲の演奏に同期させて画像を表示する機能を有するものがある。しかしながら、この種の通信カラオケ装置に表示される画像は、そのカラオケ曲の曲データを提供する事業者によって予め定められた画像であり、画一的で面白味に欠けるといった問題点があった。このため、上記通信カラオケ装置を利用するユーザには、各自の嗜好に応じた画像をその通信カラオケ装置に表示させるようにしたいといったニーズがあった。このようなニーズに応えるための技術としては、特許文献１に記載された技術が挙げられる。
【０００４】
特許文献１に記載されたインターネットカラオケシステムでは、以下に述べるようにして、カラオケ曲の演奏に同期させて表示させる画像をユーザに選択させるようにしている。このインターネットカラオケシステムは、音楽データを蓄積し利用者端末からの要求に応じてその音楽データを配信する音楽データ配信サーバと、画像データを蓄積し利用者端末からの要求に応じてその画像データを配信する画像データ配信サーバと、上記音楽データ配信サーバや上記画像データ配信サーバと通信する利用者端末とを備えている。この利用者端末は、上記音楽データ配信サーバからユーザの所望に応じた音楽データを取得するとともに、上記画像データ配信サーバからユーザの所望に応じた画像データを取得し、これらを合成して再生するようになっている。
【０００５】
【特許文献１】
特開２００２−９９２８９号公報
【０００６】
【発明が解決しようとする課題】
しかしかしながら、画像データ配信サーバに蓄積されている画像データのなかに、ユーザの嗜好に合致する画像に対応する画像データが常に含まれているとは限らない。画像データ配信サーバに格納されている画像データのなかにユーザに嗜好に合致するものがない場合には、結局、上記ユーザのニーズに応えることはできない。上記ユーザのニーズに確実に応えるための方策としては、カラオケ曲の演奏に関連付けて通信カラオケ装置に表示させる画像に対応する画像データをユーザに自由に登録させることが考えられる。しかしながら、このようなことを無制限に許容してしまうと、あるユーザが登録した画像データを他者が故意に書き換えてしまったり、不注意で書き換えてしまったりする虞があり好ましくない。
【０００７】
本発明は、上述した背景の下に為されたものであり、再生するべきコンテンツデータを選択したユーザに対してのみ、そのコンテンツデータに関連付けて表示させる画像に対応する画像データをコンテンツデータ再生装置に登録させるようにする技術を提供することを目的とすている。
【０００８】
【課題を解決するための手段】
本発明は、上記課題を解決するために、通信網を介して通信する携帯通信端末が出力する画像データを前記通信網と異なる通信媒体を介して受信するとともに、受信した前記画像データを表示するコンテンツデータ再生装置において、再生対象となるコンテンツデータと当該コンテンツデータを識別する名称データとを組み合わせて記憶する記憶手段と、前記記憶手段に記憶されているコンテンツデータのうちで、再生すべきコンテンツデータとしてユーザにより選択されたコンテンツデータを表す選択情報を前記通信媒体を介して前記携帯通信端末から受信する選択情報受信手段と、前記選択情報受信手段により受信された選択情報が表すコンテンツデータの名称データの表す名称を表示する表示手段と、前記選択情報受信手段が前記選択情報を受信すると当該選択情報に前記ユーザを特定するためのユーザ識別子を割り当てる割り当て手段と、前記割り当て手段が割り当てた前記ユーザ識別子を前記通信媒体を介して前記携帯通信端末へ送信するユーザ識別子送信手段と、前記携帯通信端末が出力する画像データを前記通信媒体を介して受信する画像データ受信手段と、前記画像データ受信手段が受信した画像データに前記割り当て手段が割り当てたユーザ識別子が付加されているか否かを判定し、付加されている場合に検出信号を生成する判定手段と、前記検出信号が生成された場合に、前記表示手段に対し、前記画像データ受信手段が受信した画像データを前記名称データの近傍に表示させる画像表示制御手段とを具備することを特徴とするコンテンツデータ再生装置を提供する。
【０００９】
また、本発明の別の態様では、コンピュータ装置に、当該コンピュータ装置に記憶されているコンテンツデータのうちで、再生すべきコンテンツデータとしてユーザにより選択されたコンテンツデータを表す選択情報を所定の通信媒体を介して携帯通信端末から受信する選択情報受信機能と、前記選択情報受信機能により受信された選択情報が表すコンテンツデータの名称データの表す名称を表示する表示機能と、前記選択情報受信機能により前記選択情報を受信すると当該選択情報に前記ユーザを特定するためのユーザ識別子を割り当てる割り当て機能と、前記割り当て機能により割り当てた前記ユーザ識別子を前記通信媒体を介して前記携帯通信端末へ送信するユーザ識別子送信機能と、前記携帯通信端末が出力する画像データを前記通信媒体を介して受信する画像データ受信機能と、前記画像データ受信機能により受信した画像データに前記割り当て機能が割り当てたユーザ識別子が付加されているか否かを判定し、付加されている場合に検出信号を生成する判定機能と、前記検出信号が生成された場合に、前記表示機能に対し、前記画像データ受信機能が受信した画像データを前記名称データの近傍に表示させる画像表示制御機能とを実現させるプログラムと、コンピュータ装置読み取り可能な記録媒体であって、当該プログラムを記録した記録媒体とを提供する。
【００１０】
このようなコンテンツデータ再生装置およびプログラムによれば、ユーザにより選択されたコンテンツデータを示す選択情報を送信してきた携帯通信端末へ該ユーザに割り当てられたユーザ識別子が送信される一方、携帯通信端末から送信されてきた画像データに上記ユーザ識別子が付加されている場合に、上記コンテンツデータの名称の近傍に該画像データが表示される。
【００１１】
また、本発明は、上記課題を解決するために、通信網を介して通信する携帯通信端末が出力する画像データを前記通信網と異なる通信媒体を介して受信するとともに、受信した前記画像データを表示するコンテンツデータ再生装置において、  再生対象となるコンテンツデータと当該コンテンツデータを識別する名称データを組み合わせて記憶する記憶手段と、前記記憶手段に記憶されているコンテンツデータのうちで、再生すべきコンテンツデータとしてユーザにより選択されたコンテンツデータを表す選択情報を前記通信媒体を介して前記携帯通信端末から受信する選択情報受信手段と、前記選択情報受信手段により受信された選択情報が示す前記コンテンツデータを再生する再生手段と、前記選択情報受信手段が前記選択情報を受信すると当該選択情報に前記ユーザを特定するためのユーザ識別子を割り当てる割り当て手段と、前記割り当て手段が割り当てた前記ユーザ識別子を前記通信媒体を介して前記携帯通信端末へ送信するユーザ識別子送信手段と、前記携帯通信端末が出力する画像データを前記通信媒体を介して受信する画像データ受信手段と、前記画像データ受信手段が受信した画像データに前記割り当て手段が割り当てたユーザ識別子が付加されているか否かを判定し、付加されている場合に検出信号を生成する判定手段と、前記検出信号が生成された場合に、前記再生手段によるコンテンツデータの再生に連動して、前記画像データ受信手段が受信した画像データを表示する連動画像表示手段とを具備することを特徴とするコンテンツデータ再生装置を提供する。
【００１２】
また、本発明の別の態様においては、コンピュータ装置に、当該コンピュータ装置に記憶されているコンテンツデータのうちで、再生すべきコンテンツデータとしてユーザにより選択されたコンテンツデータを表す選択情報を所定の通信媒体を介して携帯通信端末から受信する選択情報受信機能と、前記選択情報受信機能により受信された選択情報が示す前記コンテンツデータを再生する再生機能と、前記選択情報受信機能により前記選択情報を受信すると当該選択情報に前記ユーザを特定するためのユーザ識別子を割り当てる割り当て機能と、前記割り当て機能により割り当てた前記ユーザ識別子を前記通信媒体を介して前記携帯通信端末へ送信するユーザ識別子送信機能と、前記携帯通信端末が出力する画像データを前記通信媒体を介して受信する画像データ受信機能と、前記画像データ受信機能により受信した画像データに前記割り当て機能が割り当てたユーザ識別子が付加されているか否かを判定し、付加されている場合に検出信号を生成する判定機能と、前記検出信号が生成された場合に、前記再生機能によるコンテンツデータの再生に連動して、前記画像データ受信機能により受信した画像データを表示する連動画像表示機能とを実現させるプログラムと、コンピュータ装置読み取り可能な記録媒体であって、当該プログラムを記録した記録媒体とを提供する。
【００１３】
このようなコンテンツデータ再生装置およびプログラムによれば、ユーザにより選択されたコンテンツデータを示す選択情報を送信してきた携帯通信端末へ該ユーザに割り当てられたユーザ識別子が送信される一方、携帯通信端末から送信されてきた画像データに上記ユーザ識別子が付加されている場合に、上記コンテンツデータの再生に連動させて該画像データが表示される。
【００１４】
また、本発明は、上記課題を解決するために、通信網を介して通信する携帯通信端末において、画像データを記憶する記憶手段と、再生するべきコンテンツデータとしてユーザによって選択されたコンテンツデータを示す選択情報を前記通信網とは異なる通信媒体を介して、予めコンテンツデータを記憶しているコンテンツデータ再生装置へ送信する選択情報送信手段と、前記コンテンツデータ再生装置から送信されてくるユーザ識別子であって、前記選択情報に対して前記コンテンツデータ再生装置によって割り当てられたユーザ識別子を前記通信媒体を介して受信するユーザ識別子受信手段と、前記記憶手段に記憶されている画像データを前記選択情報で示されるコンテンツの名称の近傍に表示することを要求する旨の通信メッセージであって、該画像データと前記ユーザ識別子とを内包している通信メッセージを前記通信媒体を介して前記コンテンツデータ再生装置へ送信する画像データ送信手段とを具備することを特徴とする携帯通信端末を提供する。
【００１５】
また、本発明の別の態様においては、コンピュータ装置に、通信網を介して通信する通信機能と、再生するべきコンテンツデータとしてユーザによって選択されたコンテンツデータを示す選択情報を前記通信網とは異なる通信媒体を介して、予めコンテンツデータを記憶しているコンテンツデータ再生装置へ送信する選択情報送信機能と、前記コンテンツデータ再生装置から送信されてくるユーザ識別子であって、前記選択情報に対して前記コンテンツデータ再生装置によって割り当てられたユーザ識別子を前記通信媒体を介して受信するユーザ識別子受信機能と、当該コンピュータ装置に記憶されている画像データを前記選択情報で示されるコンテンツの名称の近傍に表示することを要求する旨の通信メッセージであって、該画像データと前記ユーザ識別子とを内包している通信メッセージを前記通信媒体を介して前記コンテンツデータ再生装置へ送信する画像データ送信機能とを実現させるプログラムと、コンピュータ装置読み取り可能な記録媒体であって、当該プログラムを記録した記録媒体とを提供する。
【００１６】
このような携帯通信端末、プログラムおよび記録媒体によれば、再生するべきコンテンツデータを選択するためにコンテンツデータ再生装置へ送信した選択情報に対して割り当てられたユーザ識別子を付加した画像データが、該コンテンツデータの名称の近傍に表示するべき画像データとして上記コンテンツデータ再生装置へ送信される。
【００１７】
【発明の実施の形態】
以下、図面を参照しつつ、本発明を実施するための最良の形態について説明する。
（Ａ：構成）
（１：システム構成）
図１は、本発明の一実施形態に係る通信システムの全体構成の一例を示す図である。図１のコンテンツデータ配信装置１０は、コンテンツデータとしてカラオケ曲の曲データを配信するコンピュータ装置である。このコンテンツデータ配信装置１０は、例えば公衆回線などの通信網２０に接続されており、図２に示す楽曲データベース（ＤａｔａＢａｓｅ：以下、「ＤＢ」）を記憶している。この楽曲ＤＢには、カラオケ曲を一意に識別する識別子（例えば、そのカラオケ曲の名称を表す文字列データやそのカラオケ曲の曲番号を表す文字列データなど）に対応付けて、そのカラオケ曲に対応する曲データが格納されている。図２では、上記識別子としてカラオケ曲の名称を表す文字列データ（以下、「名称データ」）が用いられている場合について例示されている。そして、このコンテンツデータ配信装置１０は、コンテンツデータ再生装置３０からの要求に応じて楽曲ＤＢに格納されている曲データをそのコンテンツデータ再生装置３０へ配信することができる。
【００１８】
コンテンツデータ再生装置３０は、通信網２０に接続され通信網２０を介してコンテンツデータ配信装置１０と通信するとともに、所定の通信媒体を介してリモコン装置と通信するコンピュータ装置である。なお、上記通信媒体の一例としては、ＩｒＤＡ（ＩｎｆｒａＲｅｄ  Ｄａｔａ  Ａｓｓｏｃｉａｔｉｏｎ）やＢｌｕｅｔｏｏｔｈ（登録商標）などの近距離無線通信規格にしたがう無線通信路や、ＵＳＢ（Ｕｎｉｖｅｒｓａｌ  Ｓｅｒｉａｌ  Ｂｕｓ）規格などに準拠した有線通信路が挙げられる。以下では、上記通信媒体がＩｒＤＡに準拠した無線通信路である場合について説明する。
【００１９】
このコンテンツデータ再生装置３０は、上記リモコン装置から送信されてくる各種データを上記通信媒体を介して受信し、受信したデータの内容に応じた動作を行うことができる。例えば、リモコン装置を利用しているユーザによって、あるカラオケ曲が選択されたことを表す選択情報（例えば、上記識別子を内包した情報）を受信した場合には、コンテンツデータ再生装置３０は、その選択情報で示されるカラオケ曲に対応する曲データを通信網２０を介してコンテンツデータ配信装置１０から取得し記憶することができる。そして、このコンテンツデータ再生装置３０は、上記曲データの名称に対応付けて表示するべき画像に対応する画像データを上記通信媒体を介して取得し、その名称の近傍にその画像データに対応する画像を表示することができる。
【００２０】
携帯通信端末４０は、移動電話網（図示省略）や移動パケット通信網（図示省略）を介して無線通信する第１の通信機能とプログラム実行環境を備えた携帯電話機である。このプログラム実行環境の一例としては、Ｊａｖａ（登録商標）（登録商標）実行環境が挙げられる。Ｊａｖａ（登録商標）実行環境とは、オブジェクト指向のプログラミング言語の１つであるＪａｖａ（登録商標）で記述されたアプリケーションプログラムを実行するためのものであり、そのアプリケーションプログラムを構成しているＪａｖａ（登録商標）バイトコードを解釈しその解釈結果に応じた処理を行うためのものである。なお、本実施形態では、携帯通信端末４０が備えているプログラム実行環境の一例としてＪａｖａ（登録商標）実行環境を用いる場合について説明するが、例えばＣ＋＋など他のプログラミング言語で記述されたアプリケーションプログラムを実行するためのプログラム実行環境であっても良いことは勿論である。
【００２１】
この携帯通信端末４０は、上記第１の通信機能の他に上記通信媒体を介してコンテンツデータ再生装置３０と通信する第２の通信機能を備えている。加えて、この無線通信端末４０は、例えばディジタルカメラなどの撮像手段を備えており、この撮像手段により撮像した画像に対応する画像データを記憶することができる。さらに、この携帯通信端末４０は、コンテンツデータ再生装置３０に各種動作を行わせるため通信メッセージを生成し送信する機能を実現するリモコンソフトウェアを記憶しており、このリモコンソフトウェアを上記プログラム実行環境を用いて実行することができる。すなわち、この携帯通信端末４０は、上記リモコンソフトウェアを実行することによって、コンテンツデータ再生装置３０のリモコン装置として機能することができる。このリモコンソフトウェアを実行している状態の携帯通信端末４０は、ユーザにより選択されたカラオケ曲を示す選択情報や上記撮像手段により得られた画像データを上記通信媒体を介してコンテンツデータ再生装置３０へ送信することができる。
【００２２】
図１に示す通信システムにおいては、以下に説明するようにして、カラオケ曲の名称の近傍にコンテンツデータ再生装置３０に表示させる画像に対応する画像データをそのカラオケ曲を選択したユーザにのみ登録させるようにしている。すなわち、コンテンツデータ再生装置３０は、携帯通信端末４０から送信された選択情報で示されるカラオケ曲の曲データをコンテンツデータ配信装置１０から取得するとともに、その選択情報を携帯通信端末４０に送信させたユーザを一意に識別するユーザ識別子をその選択情報に対して割り当てる。次いで、コンテンツデータ再生装置３０は、上記選択情報で示されるカラオケ曲の名称データと曲データとを上記ユーザ識別子とを対応付けて記憶するととももに、そのユーザ識別子を携帯通信端末４０へ送信する。そして、コンテンツデータ再生装置３０は、携帯通信端末４０から送信されてきた画像データに上記ユーザ識別子が付加されている場合に、その画像データを上記選択情報で示されるカラオケ曲の名称の近傍に表示する。
【００２３】
なお、上記ユーザ識別子としては、例えば電話番号など予め携帯通信端末４０に記憶されているデータを用いることも考えられる。しかしながら、このような態様にすることは、以下の理由により好ましくない。すなわち、本発明に係るコンテンツデータ再生装置が不特定多数のユーザに利用される場合には、このようなコンテンツデータ再生装置に、上記電話番号のような個人情報を送信し記憶させてしまうと、その個人情報が不特定多数のユーザに漏洩してしまう虞があり、プライバシー保護の観点から好ましくないからである。
【００２４】
また、図１には、１つの携帯通信端末と１つのコンテンツデータ再生装置とが例示されているが、実際には複数の携帯通信端末と複数のコンテンツデータ再生装置とが存在する。また本実施形態では、携帯通信端末４０がプログラム実行機能と上記通信媒体を介して他の電子機器と通信する機能を備えた携帯電話機である場合について説明するが、携帯通信端末４０が、プログラム実行機能と係る通信機能とを備えたＰＨＳ（Ｐｅｒｓｏｎａｌ  Ｈａｎｄｙｐｈｏｎｅ  Ｓｙｓｙｔｅｍ）やＰＤＡ（Ｐｅｒｓｏｎａｌ  Ｄｉｇｉｔａｌ  Ａｓｓｉｓｔａｎｔｓ）であっても良いことは勿論である。
【００２５】
また、本実施形態では、本発明に係るコンテンツデータ再生装置により再生されるコンテンツデータの一例として、カラオケ曲の曲データについて説明したが、携帯通信端末から送信される選択情報で示されるコンテンツデータはカラオケ曲の曲データに限らず、任意のコンテンツデータで良い。例えば、コンテンツデータが絵画の内容を示す画像データである場合は、本発明に係るコンテンツデータ再生装置は、その画像データ（あるいは画像データの名称）を表示した近傍にユーザが送信した画像データ（ユーザの顔写真など）を表示する。また、コンテンツデータがユーザの注文品などを特定する注文データである場合には、その注文品の名称の近傍にユーザの顔写真が表示されるようにすることもできるから、複数の人が多様な注文を行った場合には、誰がどの注文をしたかが一目瞭然に分かる。このため、注文を受け付けた店側は注文品を誰に渡せば良いかが分かり、その受け渡しを間違いなく行うことができるようになる。
【００２６】
（２：コンテンツデータ再生装置３０の構成）
次いで、図３を参照しつつコンテンツデータ再生装置３０の構成について説明する。図３は、コンテンツデータ再生装置３０のハードウェア構成の一例を示す図である。図３に示されているように、コンテンツデータ再生装置３０は、制御部１００と、表示部１１０と、音声入出力部１２０と、第１通信インターフェイス（以下、「ＩＦ」と表記する）部１３０ａと、第２通信ＩＦ部１３０ｂと、記憶部１４０と、これら各構成要素間のデータ授受を仲介するバス１５０とを備えている。
【００２７】
制御部１００は、例えばＣＰＵ（Ｃｅｎｔｒａｌ  Ｐｒｏｃｃｅｓｓｉｎｇ  Ｕｎｉｔ）であり、記憶部１４０に格納されているソフトウェアを実行することにより、コンテンツデータ再生装置３０の各部を制御するものである。詳細は後述するが、上記ソフトウェアにしたがって作動している制御部１００は、選択情報受信手段１０１、表示手段１０２、割り当て手段１０３、ユーザ識別子送信手段１０４、画像データ受信手段１０５、判定手段１０６および画像表示制御手段１０７の各ソフトウェアモジュールを実現する。
【００２８】
表示部１１０は、例えば液晶ディスプレイとその駆動回路であり、制御部１００から引渡された画像データに対応する画像を表示するものである。なお、本実施形態では、制御部１００から引渡された画像データに対応する画像を表示するための表示部１１０がコンテンツデータ再生装置３０に含まれている場合について説明するが、画像を表示するための画像表示装置がコンテンツデータ再生装置３０とは別体であっても良いことは勿論である。音声入出力部１２０は、詳細な図示は省略するが、スピーカやマイクロホンおよび音声コーディックなどを備えている。音声入出力部１２０は、制御部１００から引渡された曲データを音声コーディックを用いてアナログ音声信号へ変換し、このアナログ音声信号に応じた音声をスピーカを用いて放音させたり、マイクロホンにより集音した音声に応じたアナログ音声信号を音声コーディックを用いて曲データへ変換し制御部１００へ引渡すものである。
【００２９】
第１通信ＩＦ部１３０ａは、ＩｒＤＡ規格に準拠して通信するものであり、制御部１００の制御の下、赤外線にて他の電子機器（本実施形態では、携帯通信端末４０）との間でデータを授受する。さらに詳述すると、第１通信ＩＦ部１３０ａは、発光素子および受光素子と、変復調回路とを備えており、変調した赤外線を、他の電子機器へ向けて放射することによりデータを送信する一方で、受光素子が受光した赤外線を復調することによりデータを取得する。第２通信ＩＦ部１３０ｂは、通信網２０に接続されており、通信網２０を介して送信されてくるデータを受信し、受信したデータを制御部１００へ引渡すとともに、制御部１００から引渡されたデータを通信網２０へ送出する機能を備えている。
【００３０】
記憶部１４０は、図３に示されるように、揮発性記憶部１４０ａと不揮発性記憶部１４０ｂとを含んでいる。揮発性記憶部１４０ａは、例えばＲＡＭ（Ｒａｎｄｏｍ  Ａｃｃｅｓｓ  Ｍｅｍｏｒｙ）であり、ソフトウェアを実行中の制御部１００によりワークエリアとして利用される。一方、不揮発性記憶部１４０ｂは、例えばハードディスクであり、図４に示す予約管理テーブルや、各種ソフトウェアを格納している。以下では、まず、予約管理テーブルについて図４を参照しつつ説明する。なお、本実施形態では、予約管理テーブルが不揮発性記憶部１４０ｂに格納されている場合について説明するが、この予約管理テーブルが揮発性記憶部１４０ａに格納されているとしても良いことは勿論である。
【００３１】
図４は、予約管理テーブルのテーブルフォーマットの一例を示す図である。図４に示されているように、予約管理テーブルは、以下に述べる４つのフィールドを有している。第１に、携帯通信端末４０から送信されてきた選択情報で示されるカラオケ曲の名称データを格納するためのフィールド（以下、「名称データフィールド」）である。第２に、上記カラオケ曲の曲データを格納するためのフィールド（以下、「曲データフィールド」）である。第３に、上記選択情報を携帯通信端末４０に送信させたユーザを一意に識別するために、上記選択情報に対して、後述する割り当て手段１０３によって割り当てたユーザ識別子を格納するためのフィールド（以下、「ユーザ識別子フィールド」）である。第４に、上記選択情報で示されるカラオケ曲の名称とともに表示するべき画像データを格納するためのフィールド（以下、「画像データフィールド」）である。なお、以下では、上記ユーザ識別子として、上記選択情報を受信した順番を一意に示す予約番号を用いる場合について説明する。このような予約番号を用いてユーザを識別する理由は、１人のユーザが複数の選択情報を携帯通信端末４０に送信させていた場合に、選択情報毎にそのユーザを区別するためである。また、本実施形態では、詳細は後述するが、携帯通信端末４０から送信された選択情報を受信する度に、その選択情報で示されるカラオケ曲の名称データと曲データとをコンテンツデータ配信装置１０から取得し、上記予約管理テーブルへ格納する場合について説明するが、カラオケ曲の名称データと曲データとの組を予め不揮発性記憶部１４０ｂに格納させておくとしても勿論良い。このようにすると、携帯通信端末４０から送信された選択情報で示されるカラオケ曲の名称データと曲データとを不揮発性記憶部１４０ｂに格納していない場合にのみ、その名称データと曲データとをコンテンツデータ配信装置１０から取得すれば良く、コンテンツデータ配信装置１０との間の通信トラフィックを削減させることが可能になるといった効果を奏する。
【００３２】
次いで、不揮発性記憶部１４０ｂに格納されているソフトウェアについて説明する。不揮発性記憶部１４０ｂに格納されているソフトウェアの一例としては、オペレーティングシステム（Ｏｐｅｒａｔｉｎｇ  Ｓｙｓｔｅｍ：以下、「ＯＳ」）を制御部１００に実現させるためのＯＳソフトウェアや、上記７つのソフトウェアモジュールを制御部１００に実現させるための制御ソフトウェアが挙げられる。以下では、これらソフトウェアを実行することにより制御部１００に付与される機能について説明する。
【００３３】
コンテンツデータ再生装置３０の電源（図示省略）が投入されると、制御部１００は、まず、不揮発性記憶部１４０ｂからＯＳソフトウェアを読み出し実行する。ＯＳソフトウェアを実行しＯＳを実現している状態の制御部１００には、コンテンツデータ再生装置３０の各部を制御する機能、他のソフトウェアを不揮発性記憶部１４０ｂから読み出し実行する機能などが付与される。本実施形態においては、ＯＳソフトウェアの実行を完了しＯＳを実現している状態の制御部１００は、即座に、制御ソフトウェアを不揮発性記憶部１４０ｂから読み出し実行するものとする。制御ソフトウェアにしたがって作動している制御部１００は、上述した７つのソフトウェアモジュールを実現する。まず、これら７つのソフトウェアモジュールについて説明する。
【００３４】
選択情報受信手段１０１は、携帯通信端末４０から送信されてくる選択情報を上記第１通信ＩＦ部１３０ａを介して受信する機能を担っている。表示手段１０２は、選択情報受信手段１０１によって受信された選択情報で示されるカラオケ曲の名称を表示部１１０に表示させる機能を担っている。より詳細に説明すると、表示手段１０２は、予約管理テーブルに格納されているカラオケ曲の名称データで示される名称や、予約管理テーブルに格納されている画像データに対応する画像を表示部１１０に表示させることができる。割り当て手段１０３は、選択情報受信手段１０１によって受信された選択情報に対し、上述したユーザ識別子（本実施形態では、予約番号）を割り当て、そのユーザ識別子に対応付けて、上記選択情報で示されるカラオケ曲の名称データと曲データとを予約管理テーブルへ書き込む機能を担っている。ユーザ識別子送信手段１０４は、上記割り当て手段によって割り当てられたユーザ識別子を第１通信ＩＦ部１３０ａを介して携帯通信端末４０へ送信する機能を担っている。画像データ受信手段１０５は、携帯通信端末４０から送信されてくる画像データを第１通信ＩＦ部１３０ａを介して受信する機能を担っている。判定手段１０６は、上記画像データ受信手段１０５により受信された画像データに上記ユーザ識別子が付加されているか否かを判定し、付加されている場合に所定の検出信号を生成するとともに、その画像データをそのユーザ識別子と対応付けて予約管理テーブルへ格納する機能を担っている。画像表示制御手段１０７は、上記判定手段１０６によって生成された検出信号を受け取った場合に、上記予約管理テーブルに格納されている画像データに対応する画像をその画像データに対応付けて予約管理テーブルに格納されている名称データの示す名称の近傍に表示するように上記表示手段１０２を制御する機能を担っている。
【００３５】
そして、上記制御ソフトウェアにしたがって作動している制御部１００は、上記７つのソフトウェアモジュールを図５に示すフローチャートにしたがって連携動作させることによって、選択情報を携帯通信端末４０に送信させたユーザに対してのみ、その選択情報で示されるカラオケ曲の名称とともに表示する画像データを登録させるようにしている。
【００３６】
以上に説明したように、本実施形態に係るコンテンツデータ再生装置のハードウェア構成は、一般的なコンピュータ装置のハードウェア構成と同一であり、記憶部に格納されている各種ソフトウェアを制御部１００に実行させることにより、本発明に係るコンテンツデータ再生装置に特有な機能が実現される。なお、本実施形態では、本発明に係るコンテンツデータ再生装置に特徴的な機能をソフトウェアモジュールによって実現する場合について説明した。しかしながら、これらソフトウェアモジュールと同一の機能を担っているハードウェアモジュールを用いてコンテンツデータ再生装置を構成しても良いことは勿論である。
【００３７】
（３：携帯通信端末４０の構成）
次いで、図６を参照しつつ携帯通信端末４０の構成について説明する。図６は、携帯通信端末４０のハードウェア構成の一例を示す図である。図６に示されているように、携帯通信端末４０のハードウェア構成がコンテンツデータ再生装置３０のハードウェア構成と異なっている点は、第２通信ＩＦ部１３０ｂに替えて第３通信ＩＦ部１３０ｃを有ている点と、操作部１６０を有している点と、撮像部１７０を有している点とである。また、詳細な図示は省略したが、携帯通信端末４０は、上述した制御ソフトウェアに替えて、前述したプログラム実行環境を実現するソフトウェアや前述したリモコンソフトウェアが不揮発性記憶部１４０ｂに格納されている点もコンテンツデータ再生装置３０と異なっている。なお、プログラム実行環境を実現するためのソフトウェアの一例としては、Ｊａｖａ（登録商標）実行環境を実現するためのソフトウェア（ＪＶＭや各種クラスライブラリなど）が挙げられる。以下では、コンテンツデータ再生装置３０との相違点についてのみ説明する。
【００３８】
第３通信ＩＦ部１３０ｃは、例えば移動電話網や移動パケット通信網の基地局と無線通信するためのものである。この第３通信ＩＦ部１３０ｃは、上記基地局から送信されてくるデータを受信し制御部１００へ引渡すとともに、制御部１００から引渡されたデータを上記基地局へ宛てて送出することができる。操作部１６０は、例えばテンキーやカーソルキーなどの操作子を備えており、これら操作子の操作内容に応じたデータを制御部１００へ引渡すことができる。撮像部１７０は、例えばディジタルカメラであり、撮像した画像に対応する画像データを制御部１００へ引渡すことができる。なお、本実施形態においては、撮像部１７０により撮像された画像に対応する画像データは、制御部１００によって不揮発性記憶部１４０ｂへ書き込まれるものとする。
【００３９】
次に、不揮発性記憶部１４０ｂに格納されているソフトウェアを実行することにより、制御部１００に付与される機能について説明する。携帯通信端末４０の電源（図示省略）が投入されると、制御部１００は、まず、ＯＳソフトウェアを不揮発性記憶部１４０ｂから読み出し実行する。ＯＳソフトウェアを実行しＯＳを実現している状態の制御部１００には、携帯通信端末４０の各部を制御する機能やユーザの指示に基づいて他のソフトウェアを実行する機能が付与される。例えば、上記リモコンソフトウェアの実行をユーザに指示されると、制御部１００は、まず、プログラム実行環境を実現するソフトウェアを実行しその制御の下で、上記リモコンソフトウェアを実行する。このリモコンソフトウェアにしたがって作動している制御部１００は、図６に示されるように、選択情報送信手段２０１、ユーザ識別子受信手段２０２および画像データ送信手段２０３の３つのソフトウェアモジュールを実現する。以下、これら３つのソフトウェアモジュールが担っている機能について説明する。
【００４０】
選択情報送信手段２０１は、ユーザにより選択されたカラオケ曲を示す選択情報を操作部１６０を介して取得し、その選択情報を第１通信ＩＦ部１３０ａを介してコンテンツデータ再生装置３０へ送信する機能を担っている。ユーザ識別子受信手段２０２は、上記選択情報に対してコンテンツデータ再生装置３０により割り当てられたユーザ識別子を第１通信ＩＦ部１３０ａを介して受信する機能を担っている。画像データ送信手段２０３は、ユーザによって選択された画像データを上記選択情報で示されるカラオケ曲の名称とともに表示することをコンテンツデータ再生装置３０に要求する旨の通信メッセージを生成し第２通信ＩＦ部１３０ｂを介して送信する機能を担っている。この通信メッセージには、不揮発性記憶部１４０ｂに格納されている画像データのうちで、ユーザによって選択された画像データと上記ユーザ識別子受信機能によって受信されたユーザ識別子とが内包されている。
【００４１】
そして、上記リモコンソフトウェアにしたがって作動している制御部１００は、上記３つのソフトウェアモジュールを図７に示すフローチャートにしたがって連携動作させることによって、ユーザによって選択されたカラオケ曲を示す選択情報をコンテンツデータ再生装置３０へ送信するとともに、この選択情報に対してコンテンツデータ再生装置３０によって割り当てられたユーザ識別子を付加した画像データをコンテンツデータ再生装置３０へ送信するようにしている。
【００４２】
以上に説明したように、本実施形態に係る携帯通信端末のハードウェア構成は、一般的なコンピュータ装置のハードウェア構成と同一であり、記憶部に格納されている各種ソフトウェアを制御部１００に実行させることにより、本発明に係る携帯通信端末に特有な機能が実現される。なお、本実施形態では、本発明に係る携帯通信端末に特徴的な機能をソフトウェアモジュールによって実現する場合について説明した。しかしながら、これらソフトウェアモジュールと同一の機能を担っているハードウェアモジュールを用いて携帯通信端末を構成しても良いことは勿論である。
【００４３】
（Ｂ：動作）
以下、本実施形態に係るコンテンツデータ再生装置３０と携帯通信端末４０とが行う動作のうち、その特徴を顕著に示す動作についてのみ、図面を参照しつつ説明する。なお、以下に説明する動作例の前提として、携帯通信端末４０の不揮発性記憶部１４０ｂには、撮像部１７０を用いて撮像された画像に対応する画像データが格納されているものとする。そして、携帯通信端末４０の制御部１００は、上述したリモコンソフトウェアにしたがって作動しており、コンテンツデータ再生装置３０の制御部１００は、上述した制御ソフトウェアにしたがって作動しているものとする。
【００４４】
コンテンツデータ再生装置３０に再生させるべきカラオケ曲の選択を携帯通信端末４０を用いて行うユーザは、まず、携帯通信端末４０の操作部１６０を操作し、そのカラオケ曲を示す選択情報をキー入力する。以下、このような選択情報を入力された場合に携帯通信端末４０の制御部１００が行う動作について図７を参照しつつ説明する。
【００４５】
カラオケ曲の再生を所望するユーザは、まず、そのカラオケ曲を示す選択情報を操作部１６０に備えられている操作子を操作し入力する。このような入力が為されると、携帯通信端末４０の制御部１００は、ユーザによって入力された選択情報を操作部１６０を介して受け取り揮発性記憶部１４０ａへ書き込むとともに、この選択情報を選択情報送信手段２０１へ引渡す。この選択情報を引渡された選択情報送信手段２０１は、第１通信ＩＦ部１３０ａを介してこの選択情報をコンテンツデータ再生装置３０へ送信する（ステップＳＢ１）。このようにして送信された選択情報は、赤外線通信路を介してコンテンツデータ再生装置３０へ到達する。以下、この選択情報を受信した場合にコンテンツデータ再生装置３０の制御部１００が行う動作について図５を参照しつつ説明する。
【００４６】
図５に示されているように、コンテンツデータ再生装置３０の制御部１００によって実現されている選択情報受信手段１０１は、携帯通信端末４０から送信されてきた選択情報を受信（ステップＳＡ１）すると、この選択情報を割り当て手段１０３へ引渡す。
【００４７】
割り当て手段１０３は、ステップＳＡ１にて選択情報受信手段１０１より引渡された選択情報に対して上述したユーザ識別子（本実施形態では、予約番号）を割り当て（ステップＳＡ２）、そのユーザ識別子に対応付けて、上記選択情報で示されるカラオケ曲の名称データと曲データとを予約管理テーブル（図４参照）の該当フィールドへ書き込む（ステップＳＡ３）。具体的には、割り当て手段１０３は、選択情報受信手段１０１から引渡された選択情報に対して上記ユーザ識別子を割り当てるとともに、その選択情報で示されるカラオケ曲の名称データと曲データとを通信網２０を介してコンテンツデータ配信装置１０から取得する。そして、割り当て手段１０３は、上記ユーザ識別子に対応付けて上記名称データと上記曲データとを予約管理テーブルの該当フィールドへ書き込む。なお、本実施形態では、ユーザ識別子の割り当てを行った後に、選択情報で示されるカラオケ曲の名称データと曲データを取得する場合について説明したが、選択情報で示されるカラオケ曲の名称データと曲データとを取得した後に、ユーザ識別子の割り当てを行うとしても勿論良い。
【００４８】
次いで、割り当て手段１０３は、ステップＳＡ２にて割り当てたユーザ識別子をユーザ識別子送信手段１０４へ引渡す。このようにして、ユーザ識別子を引渡されると、ユーザ識別子送信手段１０４は、そのユーザ識別子を第１通信ＩＦ部１３０ａを介して携帯通信端末４０へ送信する（ステップＳＡ４）。このようにして送信されたユーザ識別子は赤外線通信路を介して携帯通信端末４０へ到達する。以下、図７に戻って、このユーザ識別子を受信した場合に携帯通信端末４０の制御部１００が行う動作について説明する。
【００４９】
図７に示されているように、携帯通信端末４０の制御部１００によって実現されているユーザ識別子受信手段２０２は、コンテンツデータ再生装置３０から送信されてくるユーザ識別子を第１通信ＩＦ部１３０ａを介して受信し（ステップＳＢ２）、揮発性記憶部１４０ａへ書き込む。そして、ステップＳＢ１にて送信した選択情報で示されるカラオケ曲の名称の近傍に表示させるべき画像データを示すデータが操作部１６０を介してユーザによって入力されると、制御部１００はユーザの操作内容に対応するデータを操作部１６０から取得する（ステップＳＢ３）。
【００５０】
次いで、制御部１００は、ステップＳＢ３にて取得したデータで示される画像データを不揮発性記憶部１４０ｂから読み出し、この画像データを画像データ送信手段２０３へ引渡す。このようにして画像データを引渡された画像データ送信手段２０３は、その画像データに対応する画像をステップＳＢ１にて送信した選択情報で示されるカラオケ曲の名称の近傍に表示することを要求する旨の通信メッセージを生成し第１通信ＩＦ部１３０ａを介してコンテンツデータ再生装置３０へ送信する（ステップＳＢ４）。より詳細に説明すると、画像データ送信手段２０３は、ステップＳＢ３にて取得したデータで示される画像データと、揮発性記憶部１４０ａに格納されている選択情報およびユーザ識別子を内包した通信メッセージを生成し、第１通信ＩＦ部１３０ａを介してコンテンツデータ再生装置３０へ送信する。
【００５１】
このようにして送信された通信メッセージは赤外線通信路を介してコンテンツデータ再生装置３０へ到達する。以下、図５に戻って、この通信メッセージを受信した場合にコンテンツデータ再生装置３０の制御部１００が行う動作について説明する。
【００５２】
図５に示されるように、コンテンツデータ再生装置３０の制御部１００によって実現されている画像データ受信手段１０５は、上記通信メッセージを第１通信ＩＦ部１３０ａを介して受信し（ステップＳＡ５）、受信した通信メッセージに内包されている画像データとユーザ識別子と選択情報とを判定手段１０６へ引渡す。
【００５３】
このようにして、画像データとユーザ識別子と選択情報とを引渡された判定手段１０６は、上記選択情報とユーザ識別子との組み合わせが妥当であるか否かを判定する（ステップＳＡ６）。具体的には、判定手段１０６は、画像データ受信手段１０５より引渡された選択情報で示されるカラオケ曲の名称データや曲データに対応付けて予約管理テーブル（図４参照）に格納されているユーザ識別子と画像データ受信手段１０５より引渡されたユーザ識別子とが一致する場合に、妥当な組み合わせであると判定する。そして、ステップＳＡ６の判定結果が“Ｙｅｓ”である場合には、判定手段１０６は、画像データ受信手段１０５から引渡された画像データを予約管理テーブルの該当フィールドへ書き込むとともに、所定の検出信号を生成する（ステップＳＡ７）。なお、上記ユーザ識別子は、カラオケ曲の選択を行ったユーザ毎に通知され、他のユーザにはそのユーザ識別子は通知されない。このため、あるユーザ識別子に対応付けて予約管理テーブルに格納されている曲データに対して、そのユーザ識別子を知らない他のユーザが画像データを対応付けることが排除されることになる。
【００５４】
そして、制御部１００によって実現されている画像表示制御手段１０７は、ステップＳＡ７にて判定手段１０６により生成された検出信号を検出すると、予約管理テーブルに格納されている名称データで示される名称を表示手段１０２に表示させるとともに、その名称データに対応付けて予約管理テーブルに格納されている画像データに対応する画像をその名称の近傍に表示させるように表示手段１０２を制御する（ステップＳＡ８）。
【００５５】
以上に説明した動作を携帯通信端末４０とコンテンツデータ再生装置３０とに行わせることによって、再生するべきカラオケ曲を選択したユーザに対してのみ、そのカラオケ曲の名称の近傍に表示するべき画像に対応する画像データを登録することが許容される。
【００５６】
（Ｃ：変形例）
以上、本発明を実施する際に最良な形態について説明したが、以下に述べるような様々な変形を施しても良いことは勿論である。
【００５７】
（１：変形例１）
上述した実施形態では、再生するべきカラオケ曲の選択をユーザに行わせた後に、そのカラオケ曲の名称の近傍に表示するべき画像データを登録させる場合について説明した。しかしながら、カラオケ曲の選択とそのカラオケ曲の名称の近傍に表示する画像データの登録とを同時に行わせるとしても良いことは勿論である。具体的には、再生するべきカラオケ曲を示す選択情報とともに、カラオケ曲の名称の近傍に表示するべき画像に対応する画像データを携帯通信端末４０からコンテンツデータ再生装置３０へ送信させるようにすることで実現される。
【００５８】
（２：変形例２）
上述した実施形態では、コンテンツデータ再生装置３０に、ユーザにより選択されたカラオケ曲の名称の近傍に該ユーザによって登録された画像データを表示させる場合について説明した。しかしながら、カラオケ曲の曲データに対応付けて携帯通信端末４０から送信された画像データをコンテンツデータ再生装置３０に記憶させ、そのカラオケ曲の再生に連動させてその画像データに対応する画像をコンテンツデータ再生装置に表示させるとしても良いことは勿論である。このようにすると、カラオケ曲の再生に連動させてコンテンツデータ再生装置に表示させる画像をユーザの所望に応じて自由に変更することができるといった効果を奏する。
【００５９】
また、カラオケ曲の名称を表す名称データに対応付けてコンテンツデータ再生装置３０に記憶されている画像データを、その画像データに対応付けられているカラオケ曲の名称データ毎に一覧表示するようにしても勿論良い。このようにすると、例えば、カラオケ曲毎にそのカラオケ曲を歌ったユーザの画像を一覧表示することができる。また、各ユーザの歌唱の巧拙を採点しその採点結果と合わせて各ユーザの画像を表示することにより、興趣性を向上させることができるといった効果を奏する。
【００６０】
ところで、カラオケ曲に対応付けて登録する画像データがそのカラオケ曲の登録を行ったユーザを撮像した画像（例えば、顔写真など）に対応する画像データである場合には、このような画像データが無制限に再利用されることは、プライバシー保護の観点から好ましくない。そこで、画像データの登録を行う際に、上述した形態での画像データの再利用を許容するか否かを表す再利用可否データをその画像データに対応付けてコンテンツデータ再生装置に記憶させ、再利用を許容する旨の再利用可否データを対応付けられた画像データのみを一覧表示するとしても良い。このようにすることにより、カラオケ曲に対応付けて画像データの登録を行うユーザのプライバシーを保護しつつ興趣性を向上させることが可能になるといった効果を奏する。また、上記再利用可否データに、その再利用可否データを対応付けられている画像データの再利用を許諾する地域や期間などを表すデータを含めておくとしても勿論良い。
【００６１】
（３：変形例３）
上述した実施形態では、コンテンツデータ再生装置３０に上述した制御ソフトウェアを予め記憶させておくとともに、携帯通信端末４０に上述したリモコンソフトウェアを予め記憶させておく場合について説明した。しかしながら、これらソフトウェアを、例えばＣＤ−ＲＯＭ（Ｃｏｍｐａｃｔ  Ｄｉｓｃｋ−ＲｅａｄＯｎｌｙ  Ｍｅｍｏｒｙ）などのコンピュータ装置読み取り可能な記録媒体に記憶させておき、このような記録媒体を用いて、上記ソフトウェアを一般的なコンピュータ装置にインストールするとしても良いことは勿論である。このようにすると、一般的なコンピュータ装置に、本発明に係るコンテンツデータ再生装置と同一の機能を付与することや、本発明に係る携帯通信端末と同一の機能を付与することが可能になるといった効果を奏する。
【００６２】
【発明の効果】
本発明によれば、再生すべきコンテンツデータを選択したユーザに対してのみ、選択したコンテンツデータに関連付けてコンテンツデータ再生装置に表示させる画像に対応する画像データを登録することが許容されるといった効果を奏する。
【図面の簡単な説明】
【図１】本発明の一実施形態に係る通信システムの全体構成の一例を示す図である。
【図２】同コンテンツデータ配信装置１０に記憶されている楽曲ＤＢの一例を示す図である。
【図３】同コンテンツデータ再生装置３０のハードウェア構成の一例を示す図である。
【図４】同コンテンツデータ再生装置３０に記憶されている予約テーブルの一例を示す図である。
【図５】同コンテンツデータ再生装置３０の制御部１００が制御ソフトウェアにしたがって行う動作の流れを示すフローチャートである。
【図６】同携帯通信端末４０のハードウェア構成の一例を示す図である。
【図７】同携帯通信端末４０の制御部１００がリモコンソフトウェアにしたがって行う動作の流れを示すフローチャートである。
【符号の説明】
１０…コンテンツデータ配信装置、２０…通信網、３０…コンテンツデータ再生装置、１００…制御部、１１０…表示部、１２０…音声入出力部、１３０ａ…第１通信ＩＦ部、１３０ｂ…第２通信ＩＦ部、１３０ｃ…第３通信ＩＦ部、１４０…記憶部、１４０ａ…揮発性記憶部、１４０ｂ…不揮発性記憶部、１５０…バス、１６０…操作部、１７０…撮像部。
【図１】
2005070150.tif 000003
【図２】
2005070150.tif 000004
【図３】
2005070150.tif 000005
【図４】
2005070150.tif 000006
【図５】
2005070150.tif 000007
【図６】
2005070150.tif 000008
【図７】
2005070150.tif 000009